(57)【要約】インターネットに基づくサイバー政府システムを開示する。このサイバー政府システムは、制御下でコンピュータを運営及び管理し、要求に応じて多様な調査を監督するホストと、ホストサーバーと、非会員及び会員からなる利用者と、多様な調査を要請する調査調整者とを含む。ホストサーバーは、政治システム及び関連情報に一致する全ての政府機関を有するサイバー政府と、多様な調査とサイバー選挙を行う調査及び判断システムと、会員の加入及び脱退を管理する会員管理システムと、前記サイバー政府システムに対する訪問及び活動の数に比例してサイバー政府システムの利用者に累積点数を与え、所定点数以上の累積点数を獲得した利用者に利得を与える利用促進システムとから構成される。
2004506991.tif 000002
【特許請求の範囲】
【請求項１】
制御下でコンピュータを運営及び管理し、要求に応じて多様な調査を監督するホストと、
政治システム及び関連情報に一致する全ての政府機関を有するサイバー政府、多様な調査とサイバー選挙を行う調査及び判断システム、会員の加入及び脱退を管理する会員管理システム、前記サイバー政府システムに対する訪問及び活動の数に比例してサイバー政府システムの利用者に累積点数を与え、及び所定点数以上の累積点数を獲得した利用者に利得を与える利用促進システムからなるホストサーバーと、
非会員及び会員からなる利用者と、
前記サイバー政府を用いて行われる多様な調査を要請する調査要請者とを含んでなることを特徴とするインターネットに基づくサイバー政府システム。
【請求項２】
請求項１において、前記サイバー政府は、階層順にしたがって体系的に構築される全ての政府機関及び関連情報を含むことを特徴とするインターネットに基づくサイバー政府システム。
【請求項３】
請求項１において、調査要請者が、調査関連情報を前記ホストに提供しながら調査を行うように前記ホストに要請すると、前記ホストは調査関連情報に基づいてアンケートを作成し、前記調査及び判断システムは全ての利用者にアンケートを提供し、調査結果を性別、年齢、職業、住所など別に分類し、調査統計を作成することを特徴とするインターネットに基づくサイバー政府システム。
【請求項４】
請求項１において、前記利用促進システムは、非会員利用者と会員利用者を区分し、前記非会員利用者と会員利用者に相違した利得を授与することを特徴とするインターネットに基づくサイバー政府システム。
【請求項５】
請求項１において、前記利用促進システムは、サイバー政府システムに対する訪問及び活動の回数に比例して前記サイバー政府システムの利用者に累積点数を与え、所定点数以上の累積点数を獲得した利用者に、景品、自由クーポン、割引券などの利得を授与することを特徴とするインターネットに基づくサイバー政府システム。
【発明の詳細な説明】
【０００１】
（技術分野）
本発明はインターネットに基づくサイバー政府システムに係り、より詳しくは政治活動を望む利用者に政治活動の機会を提供し、実際政治を批評する空間を提供し、多様な世論調査が正確にかつ低廉に行えるようにするインターネットに基づくサイバー政府システムに関するものである。
【０００２】
（背景技術）
社会が複雑で忙しく変化するにつれて、個人主義が広がって、政治に対する国民の関心が次第に減少している。例えば、大韓民国においては、最近の選挙での投票参加率がおよそ５０％まで減少している。
【０００３】
政治参与の減少により少数の人により政治が行われるので、政治人の活動に世論が十分に反映されなく、政府活動にも多くの試行錯誤を被ることになる。
【０００４】
このような問題点を解決するため、多くの民間公益団体（ＮＧＯ）がこのような問題点を問題化しながら政府に圧力をかけている。このような活動は効果的でなく、ＮＧＯの影響も弱いので、このような問題点を全く解決することは難しい。
【０００５】
ところで、多様な懸案、政策、イシューなどに対する多様な世論調査がしばしば行われているが、このような調査においては、全国民からサンプルを選択し、このサンプルに多様な質疑を要求しなければならないため、このような調査は非常に不便であり、高費用が消耗される。
【０００６】
また、大勢の人々が政治に関心を持っており、政治に参加するのを希望しているが、いろいろの理由のため政治に参加することができない。さらに、このような人々に政治に易しく参加し得る機会を与える効果的な方法は未だない実状である。
【０００７】
（発明の開示）
したがって、本発明は前記のような従来技術の問題点に鑑みてなされたもので、その目的は、政治活動を望む利用者に政治活動の機会を提供し、実際政治を批評する空間を提供し、多様な世論調査が正確にかつ低廉に行えるようにするインターネットに基づくサイバー政府システムを提供することにある。
【０００８】
前記目的を達成するため、本発明は、制御下でコンピュータを運営及び管理し、要求に応じて多様な調査を監督するホストと、政治システム及び関連情報に一致する全ての政府機関を有するサイバー政府、多様な調査とサイバー選挙を行う調査及び判断システム、会員の加入及び脱退を管理する会員管理システム、前記サイバー政府システムに対する訪問及び活動の数に比例してサイバー政府システムの利用者に累積点数を与え、及び所定点数以上の累積点数を獲得した利用者に利得を与える利用促進システムからなるホストサーバーと、非会員及び会員からなる利用者と、前記サイバー政府を用いて行われる多様な調査を要請する調査要請者とを含んでなるインターネットに基づくサイバー政府システムを提供する。
【０００９】
本発明の前記及びそのほかの目的、特徴及びそのほかの利点は添付図面を参照する以後の詳細な説明からより明らかに理解できるであろう。
【００１０】
（発明を実施するための最良の形態）
図１は本発明によるインターネットに基づくサイバー政府システムの構成を示すブロック図である。
【００１１】
本発明によるインターネットに基づくサイバー政府システムは、制御下でコンピュータを運営及び管理し、要求に応じて多様な調査を監督するホスト１０を含む。また、前記サイバー政府システムはホストサーバー２０を含む。このホストサーバー２０は、政治システム及び関連情報に一致する全ての政府機関を有するサイバー政府２１と、多様な調査とサイバー選挙を行う調査及び判断システム２２０と、会員の加入及び脱退を管理する会員管理システム２３と、前記サイバー政府システムに対する訪問及び活動の数に比例してサイバー政府システムの利用者に累積点数を与え、所定点数以上の累積点数を獲得した利用者に利得を与える利用促進システム２４とから構成される。そのうえ、前記サイバー政府システムは、非会員３１と会員３２からなる利用者３０と、前記サイバー政府２１を用いて行われる多様な調査を要請する調査要請者４０を含む。
【００１２】
前記サイバー政府２１において、全ての政府機関及びその情報は行政部、立法部及び司法部に分類され、この分類された機関及びその情報は階層順にしたがって体系的に構築される。
【００１３】
前記サイバー政府２１の政府機関の機関長及び構成員は非会員３１及び会員３２を含む全ての利用者３０が全ての会員利用者３２から任命して選出する。初期段階において、この政府機関の機関長及び構成員は会員利用者３２から先着順に任命する。この機関長及び構成員は、所定期間内に非会員３１及び会員３２を含む全ての利用者３０が会員利用者３２から選出する。
【００１４】
非会員利用者３１はサイバー政府システムに自由にアクセスし、自分の意見を述べることができ、選挙権を有する。一方、会員利用者３２は自分の識別番号及びパスワードを有し、構成員の場合には自分の意思又はホストの指示にしたがって自分の職務を行い、選挙権及び被選挙権を有する。
【００１５】
前記サイバー政府２１には電子掲示板が設けられることができる。この電子掲示板は非会員３１用電子掲示板と会員３２用電子掲示板に分類される。会員３２用電子掲示板は職務の指示及び報告に用いる。
【００１６】
調査要請者４０が、調査関連情報をホスト１０に提供しながら調査を行うようにホスト１０に要請すると、ホスト１０は調査関連情報に基づいてアンケートを作成する。調査及び判断システム２２は全ての利用者３０にアンケートを提供し、調査結果を性別、年齢、職業、住所など別に分類し、調査統計を作成する。
【００１７】
会員管理システム２３は会員加入及び脱退に関する情報を管理する。この会員管理システム２３は会員利用者３２の個人情報を記憶し、利用者３０の資格によって利用者３０に権限と義務を与える。
【００１８】
本発明によるサイバー政府システムの利用を促進するため、利用促進システム２４は、サイバー政府システムに対する訪問及び活動の回数に比例してサイバー政府システムの利用者に累積点数を与える。その後、利用促進システム２４は所定点数以上の累積点数を獲得した利用者に、景品、自由クーポン、割引券などの利得を授与する。
【００１９】
初期段階において、ホストサーバー１０は、利用者３０から政府機関の機関長及び構成員の資格に対する申し込みを受け付け、その申し込みを評価し、会員利用者３２を先着順に該当資格に任命する。任命された会員利用者３２は暫定政府を構成して運営する。
【００２０】
所定期間内に、サイバー政府２１の機関の機関長及び構成員は非会員利用者３１及び会員利用者３２を含む全利用者３０が会員利用者３２から選出する。選出された機関長及び構成員はサイバー政府２１を仮想空間で運営する。
【００２１】
サイバー選挙において、各利用者３０は単一の選挙権を有する。地方自治団体長の選挙の場合は、実際に該当地域に居住する非会員利用者３１及び会員利用者３２のみが選挙権を有する。
【００２２】
選挙期間は実際の選挙の期間と同一であることが好ましいが、サイバー選挙が実際の選挙との混乱を防止するとともに実際の選挙に影響を与えることを防止するため、選挙の日付は実際の選挙期間の中央にあるのが好ましい。
【００２３】
選出された機関長及び構成員は、実際政府により施行されたか又は施行されるべき多様な政策及び計画案と、機関長及び構成員が提案した多様な政策及び計画案を仮想空間で実行する。政策及び計画に対する利用者３０の意見は政策及び計画案に反映することができる。
【００２４】
また、機関長又は構成員は、実際の政府により施行されたか又は施行されるべき政策及び計画案に対する利用者３０の意見を収集し、その意見を公聴会で述べるので、世論が実際の政策に反映されるようにする。
【００２５】
サイバー政府が所定期間運営された後、会員利用者３２の一部は立候補となり、利用者３０は立候補の政見及び政策を評価してサイバー政府２１の機関の機関長及び構成員を選出するので、機関長及び構成員の為政権を利用者３０の選挙により周期的に更新することができる。
【００２６】
前述した過程において、サイバー政府システムの利用者３０にはサイバー政府システムに対する訪問及び活動の回数に比例して累積点数が与えられ、所定点数以上の累積点数を獲得した利用者には利用促進システム２４が景品、自由クーポン、割引券などの利得を授与し、授与された利得に相当する点数は累積点数から引かれるので、サイバー政府システムへの参加を誘導し、サイバー政府システムに対する利用者の関心を維持させる。
【００２７】
以上説明したように、本発明は政治活動を望む利用者に政治活動の機会を提供し、実際政治を批評する空間を提供し、多様な世論調査が正確にかつ低廉に行えるようにするインターネットに基づくサイバー政府システムを提供する。
【００２８】
これまで本発明の好ましい実施例を例証の目的で開示したが、当業者であれば、添付の特許請求の範囲に開示した本発明の範囲及び精神から逸脱しない範囲内で多様な修正例、付加例及び代替例が可能であることが分るであろう。
【図面の簡単な説明】
【図１】
図１は本発明によるインターネットに基づくサイバー政府システムの構成を示すブロック図である。
【国際公開パンフレット】
2004506991.tif 000003
2004506991.tif 000004
2004506991.tif 000005
2004506991.tif 000006
2004506991.tif 000007
2004506991.tif 000008
2004506991.tif 000009
2004506991.tif 000010
2004506991.tif 000011
2004506991.tif 000012
2004506991.tif 000013
2004506991.tif 000014
2004506991.tif 000015
【国際調査報告】
2004506991.tif 000016